(57)【要約】【課題】空気調和機のドレン水が流れる熱交換器、水受け皿、ドレンホースの流水経路において、細菌やかびの繁殖を抑えることを目的とする。【解決手段】空気調和機のドレン水が流れる経路に配置される部品が抗菌防かび機能を有するので、ドレン水が流れる熱交換器４、水受け皿５、ドレンホース６の流水経路において、細菌やかびの繁殖を抑えることができる。【選択図】図２
2007107806.tif 000002
【特許請求の範囲】
【請求項１】
ドレン水が流れる経路に配置される部品が抗菌防かび機能を有することを特徴とする空気調和機。
【請求項２】
ドレン水が流れる経路に配置される前記部品として、蒸発器として用いたとき表面にドレン水が結露し、流下するフィンに抗菌防かび機能を有する表面処理を施した熱交換器を配置したことを特徴とする請求項１記載の空気調和機。
【請求項３】
ドレン水が流れる経路に配置される前記部品として、熱交換器の下方に配置される水受皿が、抗菌防かび機能を有することを特徴とする請求項１記載の空気調和機。
【請求項４】
前記水受皿のドレン水で濡れる表面に、抗菌防かび機能を有する表面処理を施したことを特徴とする請求項３記載の空気調和機。
【請求項５】
前記水受皿を、抗菌防かび機能を有する樹脂で成形したことを特徴とする請求項３記載の空気調和機。
【請求項６】
ドレン水が流れる経路に配置される前記部品として、水受皿に接続されて水受皿からドレン水を排出させるドレンホースが、抗菌防かび機能を有することを特徴とする請求項１記載の空気調和機。
【請求項７】
前記ドレンホースの内面に、抗菌防かび機能を有する表面処理を施したことを特徴とする請求項６記載の空気調和機。
【請求項８】
前記ドレンホースの少なくとも内面を構成する部品を、抗菌防かび機能を有する樹脂で成形したことを特徴とする請求項６記載の空気調和機。
【請求項９】
樹脂系塗料に抗菌防かび剤を配合して表面処理を行うことを特徴とする請求項２または４または７のいずれか１項に記載の空気調和機。
【請求項１０】
抗菌防かび機能を有する樹脂は、抗菌防かび剤が配合されて成形されたことを特徴とする請求項５または８のいずれか１項に記載の空気調和機。
【請求項１１】
前記抗菌防かび剤の２０℃の水に対する溶解度が１０ｍｇ／１００ｍｌ以下であることを特徴とする請求項９または１０のいずれか１項に記載の空気調和機。
【請求項１２】
前記抗菌防かび剤は、その分解温度が２００℃以上の有機系であることを特徴とする請求項９〜１１のいずれか１項に記載の空気調和機。
【請求項１３】
前記抗菌防かび剤がジンクピリチオンであることを特徴とする請求項９〜１２のいずれか１項に記載の空気調和機。
【発明の詳細な説明】
【技術分野】
【０００１】
本発明は、長期使用において熱交換器、水受け皿、ドレンホース等の流水経路に繁殖する細菌やかびの発生を長期にわたって抑制することができ、カビや細菌による汚れや臭いの発生を抑える空気調和機に関するものである。
【背景技術】
【０００２】
空気調和機を冷房運転すると、機内に導入された空気は、熱交換器により冷却されるとともに、空気に含まれていた湿分は、熱交換器のフィンの表面にて結露する。結露した水（ドレン水）は、熱交換器の下方に配置された水受皿に一時的に貯留され、さらに水受皿に接続されたドレンホースによって系外に排出される。熱交換器のフィンの表面や水受皿、ドレンホースの内面には冷房運転中だけでなく運転停止後も水滴が残留し、この水分にホコリなどの栄養源が加わって細菌やかびが繁殖することがある。これらの細菌やかびは空気調和機運転時の悪臭の原因となる。また、ドレンホースの曲げ部などの内側に繁殖したかびや細菌などによって寒天状の物質（スライム）が発生してドレンホースが目詰まりし、水受皿などからドレン水が溢れ出す問題を起こすことがある。
【０００３】
このような問題の解決方法として、特許文献１においては、重合性ビニル基含有水性シリカ分散体と抗菌防かび剤を含む反応物を熱交換器フィンに塗布して親水性を良化させフィン上での水分の保持性を向上させることにより防菌防カビ性を持たせる方法が提案されている。
【０００４】
また、特許文献２においては、ドレンホースを構成する合成樹脂材料に、スライム化防止剤を単独または、防汚剤とともに混入することにより、ドレンホースの内部に種々のほこりなどが付着しても、かびや細菌などによるスライムの発生を抑える方法が提案されている。
【０００５】
さらに、特許文献３においては、抗菌防かび剤と、抗菌防かび剤の分散を良くするとともに抗菌防かび剤のドレン水への溶出を円滑にするフィラーとを樹脂基材に含有させたプレート状の抗菌防かび部材をドレン水に浸漬するようドレン皿内に置き、ドレン水に抗菌防かび剤を溶出させて、スライムが発生することを抑制する方法が提案されている。
【特許文献１】特開平６−８０８５２号公報
【特許文献２】特開平６−２５７７７６号公報
【特許文献３】特許第３２９８７１４号公報
【発明の開示】
【発明が解決しようとする課題】
【０００６】
このような従来の特許文献１の熱交換器の構成では、空気調和機の室内熱交換器に使用した場合、冷房運転時にフィンが結露し空気中の種々のほこりや栄養源を含んだ凝縮水が熱交換器に付着した時に、熱交換器のフィンの表面に繁殖するかびはある程度抑えることができるが、抗菌防かび剤の溶出が遅いため、防菌防カビ剤のドレン水中での濃度が充分ではなく、流水経路全体に対する抗菌、防かび処理の効果が出にくく、水受皿やドレンホースでは細菌やかびが繁殖しやすく、ぬめりやスライムが発生しやすくなる。また、塗料にシリカを含有することはセメント臭を発生させるという問題があった。
【０００７】
また、従来の特許文献２のドレンホースの構成では、ドレンホース内のスライムの発生をある程度抑えることはできるが、ドレン水の流れる上流側の熱交換器のフィンの表面や水受皿で発生し、空気調和機運転時の悪臭の原因となる細菌やかびの繁殖を防ぐことがで
きないという問題があった。
【０００８】
また、従来の特許文献３の水受皿にプレート状の抗菌防かび部材を置く構成では、ドレン水はプレート状の抗菌防かび部材の少ない表面と接触するだけなので、抗菌防かび剤の溶出量は充分とは言えず、抗菌防かびの効果があまり顕著ではなく、抗菌防かび効果の持続性も不充分であった。さらに、フィラーを添加することは樹脂成形体の成形性に悪影響を及ぼすので、この樹脂材料で複雑な形状の水受皿を成形するのはほとんどできないという問題があった。
【０００９】
そこで本発明は、ドレン水が流れる経路において、細菌やかびの繁殖を抑えることができる空気調和機を提供することを目的とする。
【課題を解決するための手段】
【００１０】
上記の課題を解決する本発明の技術的な手段は、空気調和機が、ドレン水が流れる経路に配置される部品が抗菌防かび機能を有することを特徴とする。
【００１１】
これによって、ドレン水が流れる経路において、細菌やかびの繁殖を抑えることができるものである。
【発明の効果】
【００１２】
本発明の空気調和機は、ドレン水が流れる経路に配置される部品が抗菌防かび機能を有するので、ドレン水が流れる経路において、細菌やかびの繁殖を抑えることができるものである。
【発明を実施するための最良の形態】
【００１３】
請求項１項記載の空気調和機は、ドレン水が流れる経路に配置される部品が抗菌防かび機能を有することを特徴とする。
【００１４】
また、請求項２項記載の空気調和機は、請求項１項記載の空気調和機において、ドレン水が流れる経路に配置される前記部品のひとつである熱交換器のフィンが抗菌防かび機能を有する表面処理を施したことを特徴とする。
【００１５】
また、請求項３項記載の空気調和機は、請求項１項記載の空気調和機において、ドレン水が流れる経路に配置される前記部品のひとつである水受皿が、抗菌防かび機能を有することを特徴とする。
【００１６】
また、請求項４項記載の空気調和機は、請求項３項記載の空気調和機において、前記水受皿のドレン水で濡れる表面に、抗菌防かび機能を有する表面処理を施したことを特徴とする。
【００１７】
また、請求項５項記載の空気調和機は、請求項３項記載の空気調和機において、前記水受皿を、抗菌防かび機能を有する樹脂で成形したことを特徴とする。
【００１８】
また、請求項６項記載の空気調和機は、請求項１項記載の空気調和機において、ドレン水が流れる経路に配置される前記部品のひとつであるドレンホースが、抗菌防かび機能を有することを特徴とする。
【００１９】
また、請求項７項記載の空気調和機は、請求項６項記載の空気調和機において、前記ドレンホースの内面に、抗菌防かび機能を有する表面処理を施したことを特徴とする。
【００２０】
また、請求項８項記載の空気調和機は、請求項６項記載の空気調和機において、前記ドレンホースの少なくとも内面を構成する部品を、抗菌防かび機能を有する樹脂で成形したことを特徴とする。
【００２１】
また、請求項９項記載の空気調和機は、請求項２項または４項または７項のいずれか１項に記載の空気調和機において、樹脂系塗料に抗菌防かび剤を配合して表面処理を行うことを特徴とする。
【００２２】
また、請求項１０項記載の空気調和機は、請求項５項または８項のいずれか１項に記載の空気調和機において、抗菌防かび機能を有する樹脂は、抗菌防かび剤が配合されて成形されたことを特徴とする。
【００２３】
また、請求項１１項記載の空気調和機は、請求項９項または１０項のいずれか１項に記載の空気調和機において、前記抗菌防かび剤の２０℃の水に対する溶解度が１０ｍｇ／１００ｍｌ以下であることを特徴とする。
【００２４】
また、請求項１２項記載の空気調和機は、請求項９項〜１１項のいずれか１項に記載の空気調和機において、前記抗菌防かび剤は、その分解温度が２００℃以上の有機系であることを特徴とする。
【００２５】
また、請求項１３項記載の空気調和機は、請求項９項〜１２項のいずれか１項に記載の空気調和機において、前記抗菌防かび剤は、ジンクピリチオンであることを特徴とする。
【００２６】
以下に、本発明の実施の形態について、図面を参照しながら説明する。
【００２７】
図１は、本発明の実施の形態および一般的な空気調和機の一態様の断面図である。機内を通る空気の流れは、送風ファン１の回転により発生し、吸入グリル２から機内に導入された空気は、熱交換器４を通過し、送風ファン１、吹き出し左右フラップ３ａおよび吹き出し上下フラップ３ｂを通って機外へ放出される。
【００２８】
機内に導入された空気に含まれていた湿分は、熱交換器４のフィンの表面にて結露、凝縮し、ドレン水となって、熱交換器４の下方に配設された水受皿５に一時的に貯留され、水受皿５に接続されたドレンホース６によって系外に排出される。なお、図は省略するがドレン水の排出を円滑にするため、ドレンホース６の上流入口部または途中にドレンポンプが用いられることもある。
【００２９】
（実施の形態１）
図２は、本発明の実施の形態１における抗菌防かび性表面処理を施した基材の断面模式図である。
【００３０】
図２において、図１における熱交換器４のフィンまたは、水受皿５のドレン水を貯留する側の表面を形成する材料または、ドレンホース６の内面を形成する材料を基材７とし、表面に抗菌防かび機能を有する表面処理層８が設けられている。
【００３１】
抗菌防かび性表面処理層８は、樹脂系塗料に抗菌防かび剤が配合された塗料を基材７に塗布し、焼付け、乾燥して形成される。
【００３２】
なお、熱交換器４のフィン材は、抗菌防かび性のほか、耐食性、親水性、耐汚染性、フィンのプレス加工時の成形性など多くの機能を有する必要があるが、これらの機能は抗菌防かび性表面処理層８自身がすべて備えていても良いが、抗菌防かび性表面処理層８の下
地に耐食処理層を設けたり、抗菌防かび性表面処理層８に、親水性、耐汚染性、成形性などの機能を有する処理層を単独あるいは複数、上塗りしても良い。
【００３３】
以上のように構成された空気調和機において、熱交換器４のフィン表面または、水受皿５のドレン水を貯留する側の表面または、ドレンホース６の内面に、樹脂系塗料に抗菌防かび剤が配合された塗料を塗布し、焼付け、乾燥して形成される表面処理層８が設けられているため、ドレン水が空気調和機の運転中流れたり、空気調和機の運転停止時滞留する熱交換器４のフィンの表面や水受皿５、ドレンホース６の内面に、ホコリなどの栄養源が存在しても、細菌やかびが繁殖するのを抑えることができる。したがって、これらの細菌やかびが空気調和機運転時の悪臭の原因となることがなく、また、水受皿やドレンホースの曲げ部などの内側にかびや細菌などが繁殖することによるスライムの発生も抑えるので、ドレンホースなどが目詰まりし、水受皿などからドレン水が溢れ出す問題も発生しにくい。
【００３４】
また、図示しないがドレンポンプが用いられる場合、ドレンポンプのドレン水と接触する部品を基材７として、表面に抗菌防かび性表面処理層８を設けることにより同様の抗菌防かび効果を有することができる。
【００３５】
（実施の形態２）
図３は、本発明の実施の形態２における抗菌防かび機能を有する樹脂成形体９の断面模式図である。
【００３６】
図３において、図１における水受皿５のドレン水を貯留する側の表面を形成する材料または、ドレンホース６の内面を形成する材料は、抗菌防かび機能を有する樹脂成形体９である。
【００３７】
抗菌防かび性樹脂成形体９は、樹脂に抗菌防かび剤が配合されて成形される。
【００３８】
以上のように構成された空気調和機において、水受皿５のドレン水を貯留する側の表面を形成する材料または、ドレンホース６の内面を形成する材料は、樹脂に抗菌防かび剤が配合されて成形されるため、ドレン水が空気調和機の運転中流れたり、空気調和機の運転停止時滞留する水受皿５やドレンホース６の内面に、ホコリなどの栄養源が存在しても、細菌やかびが繁殖するのを抑えることができる。したがって、これらの細菌やかびが空気調和機運転時の悪臭の原因となることがなく、また、水受皿やドレンホースの曲げ部などの内側にかびや細菌などが繁殖することによるスライムの発生も抑えるので、ドレンホースなどが目詰まりし、水受皿などからドレン水が溢れ出す問題も発生しにくい。
【００３９】
また、図示しないがドレンポンプが用いられる場合、ドレンポンプのドレン水と接触する部品を抗菌防かび性樹脂成形体９とすることにより同様の抗菌防かび効果を有することができる。
【００４０】
また、本発明の実施の形態１または２において、抗菌防かび剤は、２０℃の水に対する溶解度が１０ｍｇ／１００ｍｌ以下のもので、具体的には、ジンクピリチオン、カッパーピリチオン、２，４，４’−トリクロロ−２’−ヒドロキシジフェニルエーテル、２−（４−チアゾリル）ベンズイミダゾール、２，３，５，６−テトラクロロ−４−（メチルスルホニル）ピリジン、１，１’−ヘキサメチレンビス［５−（４−クロロフェニル）ビグアニド］ジヒドロクロリド、１，１’−ヘキサメチレンビス［５−（４−クロロフェニル）ビグアニド］、２−ベンズイミダゾリルカルバミン酸メチル、２，４，５，６−テトラクロロイソフタロニトリル、Ｎ−フルオロジクロロメチルチオフタルイミドなどの薬剤を用いることができる。なお、抗菌防かび剤は、単独で用いてもよいし、二種類以上を混合
して用いてもよい。
【００４１】
以上のように構成された空気調和機において、抗菌防かび剤の２０℃の水に対する溶解度が１０ｍｇ／１００ｍｌ以下と小さく、ドレン水中への抗菌防かび材の溶解速度が遅いため、抗菌防かび機能の寿命を充分保つことができる。
【００４２】
また、本発明の実施の形態１または２において、抗菌防かび剤は、分解温度が２００℃以上の有機系のもので、具体的には、ジンクピリチオン、１−（ジヨードメチルスルホニル）−４−メチルベンゼン、３−ヨード−２−プロパギルブチルカルバミン酸などを用いることができる。また、分解温度が２００℃以上の有機系薬剤として、１，１’−ヘキサメチレンビス［５−（４−クロロフェニル）ビグアニド］ジヒドロクロリド、１，１’−ヘキサメチレンビス［５−（４−クロロフェニル）ビグアニド］、２，４，４’−トリクロロ−２’−ヒドロキシジフェニルエーテルなどの抗菌性に優れる薬剤や、２−（４−チアゾリル）ベンズイミダゾール、２−ベンズイミダゾリルカルバミン酸メチル、２，４，５，６−テトラクロロイソフタロニトリル、Ｎ−フルオロジクロロメチルチオフタルイミド、２，３，５，６−テトラクロロ−４−（メチルスルホニル）ピリジンなどの防かび性に優れる薬剤を用いてもよい。なお、防菌防黴剤は、単独で用いてもよいし、二種類以上を混合して用いてもよい。
【００４３】
以上のように構成された空気調和機において、抗菌防かび剤は、分解温度が２００℃以上の有機系のものであるため、樹脂成形体の成形時の高熱による防菌防黴剤の分解を防ぐことができる。
【００４４】
さらに、ジンクピリチオンは、抗菌防かび性に優れるとともに、水への溶解度が約１．５ｍｇ／１００ｍｌとかなり低く、分解温度も約２５０℃と高いため、本発明の実施の形態１または２において、抗菌防かび剤として用いるのに最も適している。
【００４５】
なお、本発明の実施の形態１において説明した、熱交換器４のフィンの表面に抗菌防かび機能を有する表面処理層８を設ける形態の場合、ドレン水が発生する最も上流の部品である熱交換器４のフィン表面からドレン水に抗菌防かび剤が徐々に溶出するため、抗菌防かび剤が溶解したドレン水が流れる経路全体が抗菌防かび機能を有することができ、水受皿５やドレンホース６が抗菌防かび機能を有するよりも効果的である。
【産業上の利用可能性】
【００４６】
本発明にかかる空気調和機は、ドレン水が流れる経路に配置される部品が抗菌防かび機能を有するので、ドレン水が流れる経路において、細菌やかびの繁殖を抑えることができるものである。したがって、水と接触する部品の表面処理や樹脂材料に用いて、細菌やかびの繁殖を抑えるのに有効である。
【図面の簡単な説明】
【００４７】
【図１】本発明の実施の形態および一般的な形態の空気調和機の断面図
【図２】本発明の実施の形態１の抗菌防かび性表面処理を施した基材の断面模式図
【図３】本発明の実施の形態２の抗菌防かび性樹脂成形体の断面模式図
【符号の説明】
【００４８】
１  送風ファン
２  吸入グリル
３ａ  吹き出し左右フラップ
３ｂ  吹き出し上下フラップ
４  熱交換器
５  水受皿
６  ドレンホース
７  基材
８  抗菌防かび性表面処理層
９  抗菌防かび性樹脂成形体
【図１】
2007107806.tif 000003
【図２】
2007107806.tif 000004
【図３】
2007107806.tif 000005